(57)【特許請求の範囲】
【請求項１】
担体要素（３１）と膨張性材料（３３）とを含む遮蔽要素（３０）であって、
前記担体要素（３１）が複数のスルーホール（３６）を有し、
前記担体要素（３１）の一方面のみが膨張前の前記膨張性材料（３３）で少なくとも部分的に覆われており、
前記膨張性材料（３３）は、膨張前に前記スルーホール（３６）内に少なくとも部分的に導入され、
前記担体要素（３１）の総面積に対する前記スルーホール（３６）の面積の割合が、２０％〜７０％に相当し、
前記膨張性材料（３３）は、前記膨張性材料（３３）で少なくとも部分的に覆われている前記担体要素（３１）の面とは反対の前記担体要素（３１）の面（３２）の周辺部上に膨張し、
前記自由面（３２）の５０％〜９５％が、膨張した材料（３３’）で覆われることを特徴とする、遮蔽要素。
【請求項２】
乗物又は建造物の開口部及び／又はキャビティの防音用であることを特徴とする、請求項１に記載の遮蔽要素。
【請求項３】
前記膨張性材料（３３）が前記スルーホール（３６）内を実質的に前記担体要素（３１）の自由面まで延びることを特徴とする、請求項１又は２に記載の遮蔽要素。
【請求項４】
前記担体要素（３１）の総面積に対する前記スルーホール（３６）の面積の割合が、３０％〜６０％に相当することを特徴とする、請求項１〜３のいずれかに記載の遮蔽要素。
【請求項５】
前記担体要素（３１）の総面積に対する前記スルーホール（３６）の面積の割合が、３０％〜５０％に相当することを特徴とする、請求項４に記載の遮蔽要素。
【請求項６】
前記担体要素（３１）の総面積に対する前記スルーホール（３６）の面積の割合が、３０％〜４０％に相当することを特徴とする、請求項５に記載の遮蔽要素。
【請求項７】
前記スルーホール（３６）が円形又は楕円形であることを特徴とする、請求項１〜６のいずれかに記載の遮蔽要素。
【請求項８】
前記スルーホール（３６）が円形であることを特徴とする、請求項７に記載の遮蔽要素。
【請求項９】
前記担体要素（３１）が、断面が縮小した辺縁部（３１ａ）を有することを特徴とする、請求項１〜８のいずれかに記載の遮蔽要素。
【請求項１０】
前記担体要素（３１）が、プレート状であることを特徴とする、請求項１〜９のいずれかに記載の遮蔽要素。
【請求項１１】
請求項１〜１０のいずれかに記載の遮蔽要素の前記膨張性材料（３３）が、前記膨張性材料（３３）で少なくとも部分的に覆われている前記担体要素（３１）の面とは反対の前記担体要素（３１）の面（３２）の周辺部上に膨張していることを特徴とする、膨張した遮蔽要素。
【請求項１２】
前記担体要素（３１）の一方面が密閉層で覆われており、
前記担体要素（３１）の他方の反対面（３２）は、前記スルーホール（３６）の周辺近くの部位において、膨張した材料（３３’）で少なくとも部分的に覆われていることを特徴とする、請求項１１に記載の膨張した遮蔽要素。
【請求項１３】
前記自由面（３２）の５０％〜９５％が、膨張した材料（３３’）で覆われていることを特徴とする、請求項１１又は１２に記載の膨張した遮蔽要素。
【請求項１４】
前記自由面（３２）の５０％〜９０％が、膨張した材料（３３’）で覆われていることを特徴とする、請求項１３に記載の膨張した遮蔽要素。
【請求項１５】
前記自由面（３２）の６０％〜７５％が、膨張した材料（３３’）で覆われていることを特徴とする、請求項１４に記載の膨張した遮蔽要素。
【請求項１６】
前記担体要素（３１）の完全に覆われている面において、凹部が前記スルーホール（３６）上に形成されることを特徴とする、請求項１２〜１５のいずれかに記載の膨張した遮蔽要素。
【請求項１７】
陸上、空中又は水上の乗物の開口部及び／又はキャビティ、及び／又は建造物のキャビティの防音及び／又は強化のための請求項１〜１０のいずれかに記載の遮蔽要素（３０）の使用。
【請求項１８】
開口部又はキャビティを防音及び／又は強化する方法であって、請求項１〜１０のいずれかに記載の遮蔽要素（３０）を前記開口部又は前記キャビティに導入し、続いて膨張性材料（３３）を膨張させることを特徴とする、方法。
【発明の詳細な説明】
【技術分野】
【０００１】
本発明は、担体要素と膨張性材料とを含み、特に乗物又は建造物のスルーホール及び／又はキャビティの防音用の遮蔽要素に関する。本発明は、さらに、膨張した遮蔽要素、遮蔽要素の使用、及び遮蔽の方法に関する。
【背景技術】
【０００２】
運搬及び輸送手段、水上、陸上又は空中の乗物の車体及び／又はフレーム等の構成要素は、一般に、特に軽量構造が可能となるように、特にキャビティを有する。しかしながら、これらのキャビティは多数の問題を引き起こす。キャビティのタイプに応じて、構成要素の腐食を引き起こす水分及び汚染物質の浸透を防止するために、キャビティを防水処理する必要がある。多くの場合、重量を低く抑えた上で、キャビティひいては構成要素を実質的に強化することが望ましい。また、そうでなければ、キャビティに沿って又はキャビティを通して伝達されるノイズを低減するために、キャビティひいては構成要素を固定する必要がある場合も多い。多くのかかるキャビティは形状が不規則であるか又は範囲が狭いため、それらを正確に防水処理、強化及び遮蔽することは困難である。
【０００３】
したがって、特に自動車製造だけでなく、航空機製造及び船舶製造においても、防水要素（英語：バッフル（baffle））がキャビティを防水処理及び／又は音響シールするために使用され、又は、強化要素（英語：強化材（reinforcer））がキャビティを強化するために使用される。構造物においては、遮蔽目的のために、膨張性材料、又は、導入若しくは塗布の過程で膨張する材料が、多数の目的で、特に住宅設備又は建物の外装の分野における開口部又はキャビティの防水処理及び防音のために使用される。
【０００４】
図１Ａ及び図１Ｂ並びに図２Ａ及び図２Ｂは、自動車の開口部又はキャビティを防水処理及び遮蔽封止する２つの既知の概念を図示するものである。
【０００５】
図１Ａは、担体要素１１と、斜角辺縁部にある膨張性材料１３とを含む遮蔽要素１０の断面を示す。図１Ｂは、この遮蔽要素から形成され、キャビティＣに挿入された膨張した遮蔽要素１０’を示す。膨張性材料を膨張した材料１３’へと膨張させることによって、防水及び遮蔽部が担体要素１１の辺縁に形成され、同時にキャビティＣにおいて遮蔽要素１０’の固定化が達成される。
【０００６】
図２Ａ及び図２Ｂは、（ここでは完全に平坦な）担体要素２１と、担体要素２１の２つの表面の一方を覆う膨張性材料２３とを含む遮蔽要素２０、及び、遮蔽要素２０から形成されかつ同様にキャビティＣに挿入された遮蔽要素２０’を、同様の表示様式で示す。ここで、担体要素２１の辺縁部及び表面全体が、膨張性材料から形成される膨張した材料（発泡体）２３’で覆われているため、キャビティの断面全体にわたる遮蔽効果が達成される。図１Ｂ及び図２Ｂでは、音波の反射及び伝達はＲ及びＴと印された矢印を用いて図示される。
【０００７】
特許文献１から、実質的に平坦な形状を有し、スルーホールの規則的配置を用いて両側が膨張性材料でコーティングされた遮蔽要素が既知である。この膨張性材料を膨張させると、この遮蔽要素の２つの表面（開口部の中央部を除く）は遮蔽材料で完全に覆われる。しかしながら、その製造は比較的複雑かつ高コストであり、遮蔽は理想的でない。
【０００８】
特許文献２から、初期状態で膨張性であり、最終状態で膨張する材料が２つの相互に並行した、間隔を置いた気泡構造を有する担体プレートの間に配置された遮蔽要素が既知である。この遮蔽要素から膨張性材料を膨張させることによって作製される遮蔽要素は、支持体構造の外面が気泡構造の開口部を通して貫入した膨張性材料（発泡体）で完全に覆われていることを特徴とする。
【０００９】
特許文献３は、数ある目的の中でも特に遮音に使用される強化要素を記載している。任意に、特許文献３の強化要素は穿孔を有する担体を含み得る。特許文献３の実施の形態では「音響フォーム」が提案される。この実施の形態（「焼成状態」）では、担体の一方面が発泡体で覆われており、反対側の面は自由なままである。
【００１０】
特許文献４は、例えば音響ノイズ低減に使用され、１つ又は複数の穿孔に配置されるいわゆる「活性化可能な材料」を記載している。特許文献４の実施の形態では、「活性化可能な材料」が活性化の前に担体の２つの側面に配置されるように、「活性化可能な材料」が活性化の前に穿孔を通して押圧される。概して、この従来技術は比較的高コストであるとみなされる。
【先行技術文献】
【特許文献】
【００１１】
【特許文献１】国際公開第２０１０／０６０３８１号
【特許文献２】欧州特許第１３６２６８３号
【特許文献３】欧州特許出願公開第２１４７８４８号
【特許文献４】国際公開第２０１１／１４６７９３号
【発明の概要】
【発明が解決しようとする課題】
【００１２】
本発明は、上述したタイプの改善された遮蔽要素又は膨張した遮蔽要素を提供するという課題に基づくものである。さらに、スルーホール及び／又はキャビティを防音するための改善された方法を提供するものとする。
【課題を解決するための手段】
【００１３】
この課題は、そのデバイス態様においては請求項１の特徴を有する遮蔽要素によって、そのプロセス態様においてはプロセスクレームの特徴を有する方法によって解決される。本発明の概念の有利な発展形態は従属クレームの主題である。
【００１４】
特に、上記課題は、担体要素と膨張性材料とを含み、好ましくは乗物又は建造物の開口部及び／又はキャビティの防音用の（膨張性）遮蔽要素であって、担体要素が複数のスルーホールを含み、（膨張していない状態では）担体要素の一方の面のみが膨張性材料で少なくとも部分的に覆われており、膨張性材料がスルーホールを少なくとも部分的に塞ぐ、（膨張性）遮蔽要素によって解決される。膨張性材料は、膨張した状態では、（膨張していない状態では）膨張性材料で少なくとも部分的に覆われている担体要素の面とは反対の担体要素の面の周辺部で膨張しているのが好ましい。
【００１５】
したがって、本発明の核となる概念は、膨張の前に膨張性材料で担体要素の一方のみの面を覆い、膨張性材料をスルーホールに（少なくとも部分的に）導入することである。膨張後に、膨張性材料により膨張前に膨張性材料が配置されていないもう片方の面の一部分も覆われる。特に、膨張性材料の初期配置は結果として比較的単純である。膨張性材料の確実な固定化が、上記材料を膨張させることで相乗的に達成される。同時に高度の吸音性を有する遮蔽要素が作製される。（膨張していない状態で）既に膨張性材料で覆われている担体要素の「面」は、担体要素の辺縁部にまで及ぶ担体要素の面を意味すると理解されるものとする。ここで、（膨張した状態でのみ）膨張性材料で覆われている担体要素の面は、膨張していない状態において膨張性材料で覆われている（さらには辺縁部にまで及ぶ）担体要素の面の反対側に位置する。
【００１６】
提案される（膨張性）遮蔽要素の有利な設計では、膨張性材料が（膨張していない状態で）スルーホール、特に（実質的に）平坦部分の自由面にまで及ぶ（それを超えない）。これにより、膨張性材料が膨張し、遮蔽要素が、担体要素の平坦部分の一方の面のみの密閉されたコーティング及びその密閉されたコーティングとは反対の面の周辺部の密閉されたコーティングを形成することが可能となる。
【００１７】
半製品工程（膨張していない状態）における膨張性材料による担体要素のコーティングは、特に最終製品（膨張した状態）において担体要素の平坦部分の密閉されたコーティングとは反対の自由面の５０％超、特に最大７５％が膨張した材料で覆われているように設計される。自由面の５０％〜９５％、好ましくは５０％〜９０％、特に好ましくは６０〜７５％が覆われている。
【００１８】
原則として、元は膨張性材料で覆われていない面の膨張した材料で覆われている周辺部は、物質架橋又は相互への部分的な転移によって相互に連結することができる。この面上に、打ち消し効果によりそれに衝突する音波の反射を大幅に減少させる複数の隆起を有する顕著な凹部構造が存在することが重要である。
【００１９】
遮蔽要素は、その防音特性に対して優れた性能／重量比及び性能／コスト比を有する。
【００２０】
本発明のさらなる設計において、担体要素は、プラスチック、特にポリウレタン、ポリアミド、ポリ（フェニレンエーテル）、ポリスルホン又はポリエーテルスルホンから作製される。代替的には、担体要素は、天然の材料、特に木材又は別の繊維材料からなるものであってもよい。
【００２１】
担体要素は好ましくはプレート状である（すなわち担体プレートを形成する）。この実施の形態において、プレートの第１の側面は材料の膨張していない状態で既に覆われている面を形成し、（反対の、反対の方向に面する）もう片方の側面は膨張性材料の膨張した状態で（のみ）覆われている面を形成する。プレート辺縁又はプレート端部は２つの側面の間に位置する。
【００２２】
好ましい設計において、膨張性材料を、膨張性材料で少なくとも部分的に覆われている担体要素の面とは反対の担体要素の面の周辺部で膨張させる、膨張した遮蔽要素が提案される。
【００２３】
変形形態によると、（膨張した状態では）担体要素の一方面が密閉層で覆われており、その他方の反対面ではスルーホールの周辺近くの部位が膨張した材料で少なくとも部分的に覆われている、（膨張性又は膨張した）遮蔽要素が提案される。
【００２４】
好ましい実施の形態によると、（膨張した状態では）自由面の５０％〜９５％、好ましくは５０％〜９０％、特に好ましくは６０％〜７５％が膨張した材料で覆われている、（膨張した又は膨張性）遮蔽要素が提案される。
【００２５】
好ましくは（膨張した状態では）、担体要素の完全に覆われている面においてスルーホール上に凹部が形成される。
【００２６】
本発明のさらなる設計において、膨張性材料が、例えばアゾジカルボンアミド、スルホヒドラジド、炭酸水素塩などの化学発泡剤、又は物理発泡剤を含む遮蔽要素が提供される。市販の出発物質を使用して作製することが容易な実施の形態では、膨張性材料が一成分エポキシ樹脂又はポリウレタン又はＥＶＡ組成物を有する遮蔽要素が提供される。
【００２７】
さらに、陸上、空中若しくは水上の乗物、特にその外部ケーシングの開口部及び／又は空洞の防音及び／又は強化、又は建造物の部位、特に開口部及び／又はキャビティの防音及び／又は断熱への上で詳述される本発明による遮蔽要素の使用が提案される。
【００２８】
本発明のさらなる態様によると、開口部又はキャビティを防音及び／又は強化する方法であって、上記のタイプの遮蔽要素を開口部又はキャビティに導入し、続いて膨張性材料を膨張させる、方法が提案される。
【００２９】
本発明の利点及び用途は以下の実施形態の例及び態様の説明から、一部図面を参照してさらにもたらされる。
【図面の簡単な説明】
【００３０】
【図１Ａ】第１の防音概念を説明する図である。
【図１Ｂ】第１の防音概念を説明する図である。
【図２Ａ】第２の防音概念を説明する図である。
【図２Ｂ】第２の防音概念を説明する図である。
【図３Ａ】本発明による遮蔽要素の実施形態の図である。
【図３Ｂ】本発明による膨張した遮蔽要素の実施形態の図である。
【図４Ａ】本発明による遮蔽要素のさらなる実施形態の斜視図である。
【図４Ｂ】本発明による遮蔽要素のさらなる実施形態の斜視図である。
【図４Ｃ】設置状況での図４Ａ及び図４Ｂによる遮蔽要素の斜視図である。
【図５】本発明のさらなる実施形態の例を説明する斜視図である。
【発明を実施するための形態】
【００３１】
本発明の直接的な理解に必須の要素のみを示す。同様の要素又は同等の効果を有する要素は同一の参照番号で提示される。
【００３２】
図３Ａ及び図３Ｂは、本発明による遮蔽要素３０（図３Ａ）及び膨張した遮蔽要素３０’（図３Ｂ）の断面を示し、膨張した遮蔽要素３０’は例えば乗物の構造要素の防音されるキャビティＣに挿入されている。遮蔽要素３０は、複数のスルーホールである穿孔３６を有するプレート状プラスチック担体要素３１と、担体要素の表面上に配置される膨張性材料３３とを含む。膨張性材料３３は、スルーホール３６を通って初期状態では自由な担体要素の下面３２まで貫入するのが特に好ましい。なお、膨張性材料３３はスルーホールを自由面３２まで貫通する必要はなく、また、自由面３２を僅かに超えて突出していてもよい。ただし、膨張性材料３３はスルーホール３６を表面まで貫通するのが特に好ましい。担体要素の総面積に対するスルーホール３６の面積の比は、好ましくはおよそ２０％〜７０％、特に好ましくはおよそ３０％〜６０％、より好ましくはおよそ３０％〜５０％、特に３０％〜４０％である。スルーホールは、好ましくは円形又は楕円形であるが、多角形又は任意の他の形状であってもよい。
【００３３】
図３Ｂは、キャビティＣに発泡させた遮蔽要素３０’を示し、膨張した膨張性材料３３’が密閉層を有する担体要素３１の一方面及び部分的に他方の自由面３２、特にいずれの場合にもスルーホール３６の周辺近くの部位を覆うことが示されている。自由面３２の５０％〜９５％、好ましくは５０％〜９０％、特に好ましくは６０％〜７５％が覆われている。スルーホール３６を通した膨張性材料の膨張のために、小さな凹部がいずれの場合にも担体要素３１の完全に覆われている面においてスルーホール上に形成され、そのため遮蔽要素の２つの面は凹部構造を有するようになる。
【００３４】
この凹部構造及び平坦な面の欠如のために、図３Ｂに図示され、Ｒ（反射）及びＴ（伝達）と印された矢印で示される音波の反射能の低減及び伝達能の低減の両方が存在する。
【００３５】
図４Ａは、図３Ａに従って構成される遮蔽要素の特別な幾何学形状を斜視図で示す。図４Ｂは、図４Ａに示される遮蔽要素と同様の構成を有する担体要素を示す。担体要素は、遮蔽要素をキャビティに接続することができる接続要素３４、例えばクリップを有する。加えて、担体要素３１は、辺縁部３１ａを有する。辺縁部３１ａは、実質的に担体要素を包囲し、図４Ｂ及び図５のスルーホール３６が設けられる担体要素の部位と比較して断面が薄い設計である。
【００３６】
図４Ｃは、図４Ａと同様の構成の遮蔽要素３０を示し、遮蔽要素３０は、スルーホール３６が設けられた担体要素３１と、それぞれ例えば自動車構造の金属シートである画定要素３７ａ、３７ｂによって画定されるキャビティＣへの設置状況において発泡性材料３３が塗布された層とを含む。発泡性材料３３の発泡により、キャビティ内で堅固に発泡し、この空間の大部分を防音し、任意に断熱し、水分の侵入を防ぐ遮蔽要素が形成される。
【００３７】
図５は、さらなる実施形態として、複数の円形スルーホール３６を有し、膨張性材料３３が塗布される例えばポリアミドから作製された担体要素３１を含む遮蔽要素３０を示す。担体材料の厚さは塗布される膨張性材料と同様におよそ４ｍｍであり得る。ここでは、遮蔽要素３０に例えば金属シートから作製される金属要素として形成される接続要素３５が設けられ、接続要素３５は、例えば溶接によってキャビティ構造に連結することができる。
【００３８】
複数の円形スルーホールである孔３６が、この例では４．５ｍｍ厚のＰＡ６．６から作製される担体要素に設けられ、スルーホールの割合は担体要素の総面積のおよそ３０％〜４０％に相当する。発泡性材料として、例えば層厚４ｍｍの弾性発泡ポリウレタンが塗布され、これは膨張性材料の発泡後に好ましくは３０ｍｍ〜４０ｍｍの厚さを有し得る。
【００３９】
本発明による概念を空間的に複雑な形状を有する多部担体要素を含む多様な他の配置で実施することができることが理解されよう。
【００４０】
膨張性（発泡性）材料
原則として、制御下で発泡させることができる任意の材料を発泡性材料として使用することができる。ここで、この発泡性材料は強化特性を有していても又は有していなくてもよい。通例、発泡性材料は、熱、水分又は電磁放射により発泡させる。
【００４１】
通例、このような発泡性材料は、化学発泡剤又は物理発泡剤を含む。化学発泡剤は、温度、水分又は電磁放射の影響下で分解する有機化合物又は無機化合物であり、分解生成物の少なくとも１つがガスである。物理発泡剤としては、例えば温度を上昇させると物質の気体状態へと転移する化合物を使用することができる。結果として、化学発泡剤及び物理発泡剤の両方がポリマー中に発泡構造を生成することが可能である。
【００４２】
発泡性材料は、熱により発泡させるのが好ましく、この場合、化学発泡剤が使用される。好適な化学発泡剤は、例えばアゾジカルボンアミド、スルホヒドラジド、炭酸水素塩又は炭酸塩である。
【００４３】
好適な発泡剤は、例えばAkzo Nobel社（オランダ）からExpancel（登録商標）という商品名、又はChemtura Corp.社（米国）からCelogen（登録商標）という商品名で市販もされている。発泡に必要とされる熱は、発熱化学反応等の外部又は内部熱源によって導入することができる。発泡性材料は、好ましくは１６０℃以下、特に８０℃〜１５０℃、好ましくは９０℃〜１４０℃の温度で発泡する。
【００４４】
好適な発泡性材料は、例えば、室温で流体でなく、特に増大した耐衝撃性を有し、アエロジル又はナノクレイ等のチキソトロープ剤を含有する一成分エポキシ樹脂系である。例えば、かかるエポキシ樹脂系は、２０重量％〜５０重量％の流動エポキシ樹脂、０重量％〜３０重量％の固体エポキシ樹脂、５重量％〜３０重量％の靭性改質剤、１重量％〜５重量％の物理発泡剤又は化学発泡剤、１０重量％〜４０重量％の充填剤、１重量％〜１０重量％のチキソトロープ剤及び２重量％〜１０重量％の熱活性化硬化剤を含む。好適な靭性改質剤は、ニトリルゴム又はポリエーテルポリオール−ポリウレタンの誘導体、コアシェルポリマー及び当業者に既知の同様の系をベースとする反応性流動ゴムである。
【００４５】
さらなる好適な発泡性材料は、発泡剤を含有し、さらなるポリオール、好ましくはポリエーテルポリオール及びブロックイソシアネート基を有するポリイソシアネートと混合した結晶性のＯＨ基含有ポリエステルから形成される一成分ポリウレタン組成物である。結晶性ポリエステルの融点は、５０℃以上であるものとする。ポリイソシアネートのイソシアネート基は、例えばカプロラクタム、フェノール又はベンゾキサロン等の求核試薬によってブロックすることができる。さらに、例えば粉体塗料技術に使用されるブロックポリイソシアネートも使用に好適であり、例えばDegussa GmbH（ドイツ）からVestagon（登録商標）BF 1350及びVestagon（登録商標）BF 1540という商品名で市販されている。イソシアネートとしては、当業者に既知であり、例えば欧州特許出願公開第０２０４９７０号に記載されている、いわゆるカプセル化又は表面不活性化ポリイソシアネートも挙げられる。
【００４６】
さらに、例えば国際公開第２００５／０８０５２４号（その開示が引用することにより本明細書の一部をなすものとする）に記載されている発泡剤含有二成分エポキシ／ポリウレタン組成物も発泡性材料として好適である。
【００４７】
さらに、発泡剤含有エチレン−酢酸ビニル組成物も発泡性材料として好適である。
【００４８】
さらなる好適な発泡性材料は、例えばSika Corp.（米国）によってSikaBaffle（登録商標） 240、SikaBaffle（登録商標） 250又はSikaBaffle（登録商標） 255という商品名で販売されており、米国特許第５，２６６，１３３号及び米国特許第５，３７３，０２７号（その開示が引用することにより本明細書の一部をなすものとする）に記載されている。かかる発泡性材料が特に本発明に好ましい。
【００４９】
強化特性を有する発泡性材料としては、例えばSika Corp.（米国）によってSikaReinforcer（登録商標） 941という商品名で販売されているものを使用するのが好ましい。これらは米国特許第６，３８７，４７０号（その開示が引用することにより本明細書の一部をなすものとする）に記載されている。
【００５０】
担体材料
担体要素は、任意の材料からなるものとすることができる。好ましい材料は、プラスチック、特にポリウレタン、ポリアミド、ポリエステル及びポリオレフィン、好ましくは特にさらに発泡させたポリ（フェニレンエーテル）、ポリスルホン若しくはポリエーテルスルホン等の高温耐熱ポリマー；金属、特にアルミニウム若しくは鋼鉄；又は天然有機材料、特に木材若しくは他の（圧縮）繊維材料、又はガラス状材料若しくはセラミック材料；特にさらに発泡させたこのタイプの材料；又はこれらの材料の任意の組合せである。ポリアミド、特にポリアミド６、ポリアミド６．６、ポリアミド１１、ポリアミド１２又はそれらの混合物を使用するのが特に好ましい。
【００５１】
さらに、担体要素は、任意の所望の構成及び任意の所望の構造を有し得る。例えば、担体要素は、中実、中空若しくは発泡状態であってもよく、又はマトリックス状構造を有し得る。担体要素の表面は、通例、平滑であっても、粗面であっても又は構造化されていてもよい。
【００５２】
発泡性材料が担体要素上に存在する本発明による防水及び強化要素の場合、作製方法は担体要素が射出成形によって加工することができる材料からなるか否かに応じて異なる。担体要素が射出成形によって加工することができる材料からなる場合には、二成分射出成形方法が通常は使用される。ここで、初めに第１の構成要素、この場合は担体要素を射出成形する。この第１の構成要素の固化の後、ツール内のキャビティを拡大若しくは調整するか、又は作製した素材を新たなツール内に置き、第２の構成要素、この場合は発泡性材料を第２の射出成形ユニットを用いて第１の構成要素に成形する。
【００５３】
担体要素が射出成形プロセスによって作製することができない材料、すなわち例えば金属からなる場合、担体要素を適切なツール内に置き、発泡性材料を担体要素上に吹き付ける。当然ながら、特別な接続手段又は方法によって発泡性材料を担体要素に接続することも可能である。
【００５４】
当然ながら、本発明は図示及び説明される実施形態の例に限定されない。接続要素は所望に応じて設計することができ、図中で置き換えることができる。
【符号の説明】
【００５５】
１０；２０；３０  遮蔽要素
１０’；２０’；３０’  膨張した遮蔽要素
１１；２１；３１  担体要素
３１ａ  担体要素辺縁部
３２  ３１の自由面
１３；２３；３３  膨張性材料
１３’；２３’；３３’  膨張した材料
３４、３５  接続要素
３６  スルーホール
３７ａ、３７ｂ  画定キャビティ
Ｃ  キャビティ
Ｒ  反射音波
Ｔ  伝達音波
【図１Ａ】
0006320412.tif 000002
【図１Ｂ】
0006320412.tif 000003
【図２Ａ】
0006320412.tif 000004
【図２Ｂ】
0006320412.tif 000005
【図３Ａ】
0006320412.tif 000006
【図３Ｂ】
0006320412.tif 000007
【図４Ａ】
0006320412.tif 000008
【図４Ｂ】
0006320412.tif 000009
【図４Ｃ】
0006320412.tif 000010
【図５】
0006320412.tif 000011